(57)【要約】【課題】  指紋認証端末器等の複数の指紋認証機器の一つに異常が発生したときに、他の正常指紋認証機器によって指紋認証動作を遂行する指紋認証装置を得る。【解決手段】  一つの指紋認証機器に機能障害が発生したときに、作動対象指紋認証機器選択装置５の動作により他の指紋認証機器のデータを選択して組み合わせる。そして、組み合わされた正常な指紋認証機器による指紋認証動作が異常時制御手段１２によって指令される。  これにより、一つの指紋認証機器の故障発生により指紋認証データが消失したり、指紋認証装置全体が停止したりして、被認証者の特定個人認証不能事態の発生を未然に防ぎ、一つの指紋認証機器の故障時においても特定個人の認証機能を維持する。【選択図】        図１
2006031304.tif 000002
【特許請求の範囲】
【請求項１】
指紋認証サーバ及び少なくとも一つの指紋認証端末器からなり、少なくとも指紋認証手段及び指紋データベースからなる指紋認証機能がそれぞれに設けられた複数の指紋認証機器と、少なくとも一つの上記指紋認証機器に機能障害が発生したときに、複数の上記指紋認証機器における他の正常指紋認証機器の何れかを選択して組み合わせる作動対象指紋認証機器選択装置と、上記指紋認証機器の動作による指紋認証異常時に、上記作動対象指紋認証機器選択装置の動作により組み合わされた上記正常指紋認証機器の指紋認証機能による指紋認証動作を指令する異常時制御手段とを備えた指紋認証装置。
【請求項２】
多数の指紋データを複数の指紋認証機器の指紋データベースのいずれかに割り当てて記憶する指令を発し、かつ指紋認証端末器のいずれかに入力された被認証者の指紋に対する上記指紋認証機器の指紋認証機能による指紋認証動作を、複数の上記指紋データベースについて順次指令する指紋認証動作制御装置を備えたことを特徴とする請求項１記載の指紋認証装置。
【請求項３】
被認証者の両手の指のうちの少なくとも一本の指の指紋が指紋データベースに登録されてなる記憶指紋データと、指紋認証端末器のいずれかに入力された特定被認証者の指紋に対する上記指紋認証機器の指紋認証機能による指紋認証動作を、上記指紋データベースの記憶指紋データについて上記特定被認証者の指紋認証要領に基づいて順次指令する指紋認証動作制御装置とを備えたことを特徴とする請求項１記載の指紋認証装置。
【発明の詳細な説明】
【技術分野】
【０００１】
この発明は、指紋認証サーバ及び指紋認証端末器が設けられて、指紋認証端末器に入力された指紋を介して特定個人を認証する指紋認証装置に関する。
【背景技術】
【０００２】
従来の指紋認証装置は、登録指紋データを保持し、被認証者の指紋データを読み込み、これを保持している登録指紋データと照合することにより個人の認証を行う。このような指紋認証装置において、指紋登録要求を行う複数のクライアントを複数のグループに分けて、各グループ毎に指紋管理サーバを配置してグループ内のクライアントの要求を管理する。
【０００３】
また、各グループ毎の指紋管理サーバを管理する管理サーバを設け、単独の指紋管理サーバで管理していない指紋データを管理サーバにより管理するように構成されている。これによって、指紋読み込みクライアントが増加しても検索照合時間が長くならず、正確に照合を行うことができる指紋認証装置を実現している。（例えば、特許文献１参照）。
【０００４】
【特許文献１】特開２００４−５５３２号公報（要約、図１）
【発明の開示】
【発明が解決しようとする課題】
【０００５】
従来の指紋認証装置では、指紋認証端末器から指紋データ取得手段によって取得されたデータを通信手段によって指紋認証サーバへ送信する。そして、指紋認証サーバでは、このデータと指紋データベースの登録指紋データとを指紋認証手段によって認証を行い、その結果を通信手段からパソコン端末に通知する構成になっている。このような構成の指紋認証装置では、故障の発生によって指紋認証データが消失したり、指紋データベースの停止によって指紋認証装置全体が停止したりして、入力指紋に基づく特定個人の認証が不能になるという問題点があった。
【０００６】
この発明は、かかる問題点を解消するためになされたものであり、この発明は指紋認証端末器等の複数の指紋認証機器の一つに異常が発生したときに、他の正常指紋認証機器によって指紋認証動作を遂行する指紋認証装置を得ることを目的とする。
【課題を解決するための手段】
【０００７】
この発明に係る指紋認証装置においては、指紋認証サーバ及び少なくとも一つの指紋認証端末器からなり、少なくとも指紋認証手段及び指紋データベースからなる指紋認証機能がそれぞれに設けられた複数の指紋認証機器と、少なくとも一つの指紋認証機器に機能障害が発生したときに、複数の指紋認証機器における他の正常指紋認証機器の何れかを選択して組み合わせる作動対象指紋認証機器選択装置と、指紋認証機器の動作による指紋認証異常時に、作動対象指紋認証機器選択装置の動作により組み合わされた正常指紋認証機器の指紋認証機能による指紋認証動作を指令する異常時制御手段とが設けられる。
【発明の効果】
【０００８】
この発明による指紋認証装置は、例えば一つの指紋認証機器の指紋データベースに機能障害が発生したときは、作動対象指紋認証機器選択装置の動作により他の指紋認証機器の指紋データベースを選択して組み合わせる。そして、組み合わされた正常な指紋認証機器の指紋認証機能による指紋認証動作が異常時制御手段によって指令される。これにより、指紋データベースの故障発生によって指紋認証データが消失したり、また指紋データベースの停止によって指紋認証装置全体が停止したりして、被認証者の入力指紋データに基づく特定個人の認証が不能になる事態の発生を未然に防ぐことができる。このため、一つの指紋認証機器の異常発生時においても被認証者の入力指紋データに基づく特定個人の認証機能を維持する効果がある。
【発明を実施するための最良の形態】
【０００９】
実施の形態１．
図１は、この発明の実施の形態を示す図で、機器の配置を示す全体構成図である。図において、指紋認証サーバからなる第一指紋認証機器１に指紋認証手段２、被認証者の指紋データが予め登録された指紋データベース３、通信手段４及び後述する作動対象指紋認証機器選択装置５が設けられる。
【００１０】
また、それぞれパーソナルコンピュータを有する指紋認証端末器からなる第二指紋認証機器６及び第三指紋認証機器７が第一指紋認証機器１に接続される。そして、第二指紋認証機器６及び第三指紋認証機器７のそれぞれに、指紋データ取り込み手段８、指紋認証手段９、被認証者の指紋データが予め登録された指紋データベース１０、通信手段１１が設けられる。また、異常時制御手段１２が第一指紋認証機器１に接続される。
【００１１】
上記のように構成された指紋認証装置において、被認証者の指紋データは第一指紋認証機器１の指紋データベース３並びに第二指紋認証機器６及び第三指紋認証機器７それぞれの指紋データベース１０に登録される。そして、指紋データ取り込み手段８に被認証者の指紋データが入力されると作動対象指紋認証機器選択装置５は指紋データベース３の動作をチェックし、指紋データベース３が正常なときは第二指紋認証機器６又は第三指紋認証機器７のいずれかから送信されたデータと指紋データベース３のデータとを指紋認証手段２によって認証を行う。
【００１２】
そして、指紋認証手段２による認証結果を、データを送信した第二指紋認証機器６又は第三指紋認証機器７のパーソナルコンピュータに通知する。しかし、例えば指紋データベース３に機能障害が発生したときは、作動対象指紋認証機器選択装置５が動作して第二指紋認証機器６又は第三指紋認証機器７或いは図示が省略してあるが第四以降の指紋認証機器のいずれかの指紋データベース１０を選択して組み合わせる。
【００１３】
そして、作動対象指紋認証機器選択装置５の動作によって組み合わされた正常な第二指紋認証機器６又は第三指紋認証機器７或いは第四以降の指紋認証機器の指紋データベース１０等からなる指紋認証機能による指紋認証動作が異常時制御手段１２によって指令される。これにより、例えば指紋データベース３の故障発生によって指紋認証データが消失したり、また指紋データベース３の停止によって指紋認証装置全体が停止したりして、被認証者の入力指紋データに基づく特定個人の認証が不能になる事態の発生を未然に防ぐことができる。
【００１４】
このように、第一指紋認証機器１の指紋データベース３等の故障時に、作動対象指紋認証機器選択装置５の動作によって正常な第二指紋認証機器６、第三指紋認証機器７等が組み合わされる。そして、異常時制御手段１２によって組み合わされた正常な指紋認証機器の指紋認証機能による指紋認証動作が指令されて指紋認証動作が遂行される。これによって、一つの指紋認証機器に異常が発生しても被認証者の入力指紋データに基づく特定個人の認証機能を維持することができる。
【００１５】
実施の形態２．
図２及び図３は、この発明の他の実施の形態を示す図で、図２は機器の配置を示す全体構成図、図３は図２の指紋認証動作制御装置の動作を説明するフローチャートである。図において、前述の図１と同符号は相当部分を示し、指紋認証サーバからなる第一指紋認証機器１に指紋認証手段２、被認証者の指紋データが予め登録された第一指紋データベース１３、通信手段４及び指紋認証動作制御装置１４が設けられる。
【００１６】
また、それぞれパーソナルコンピュータを有する指紋認証端末器からなる第二指紋認証機器６、第三指紋認証機器７及び第一指紋認証機器１からＮ番目に至る間のそれぞれの第Ｎ指紋認証機器１５が配備されて、第二指紋認証機器６〜第Ｎ指紋認証機器１５がそれぞれ第一指紋認証機器１に接続される。そして、第二指紋認証機器６〜第Ｎ指紋認証機器１５のそれぞれに、指紋データ取り込み手段８、指紋認証手段９及び通信手段１１が設けられる。
【００１７】
また、第一指紋認証機器１〜第Ｎ指紋認証機器１５のそれぞれに順次、多数の被認証者の指紋データが割り当てられて予め登録された第一指紋データベース１３、第二指紋データベース１６、第三指紋データベース１７及び第一指紋データベース１３からＮ番目に至る間のそれぞれの第Ｎ指紋データベース１８が設けられる。
【００１８】
上記のように構成された指紋認証装置において、指紋認証動作制御装置１４の動作によって多数の被認証者の指紋データが第一指紋認証機器１の第一指紋データベース１３から第Ｎ指紋認証機器１５の第Ｎ指紋データベース１８に至るそれぞれの指紋データベースのいずれかに割り当てて記憶される。そして、指紋データ取り込み手段８に被認証者の指紋データが入力されると指紋認証動作制御装置１４が動作し、指紋認証手段２等による指紋認証動作を指令する。
【００１９】
この指紋認証動作制御装置１４の指令による指紋認証動作を図３に示すフローチャートによって説明する。すなわち、被認証者の指紋データが入力されるとステップ１０１において、第一指紋データベース１３により本人と認証されればステップ１０２へ進み、本人と認証されなければステップ１０３へ進む。ステップ１０３において、第二指紋データベース１６により本人と認証されればステップ１０２へ進む。
【００２０】
また、ステップ１０３において本人と認証されなければ、図示が省略してあるが順次、次の指紋データベースによる指紋認証動作が行われて、本人と認証されればステップ１０２へ進み、また本人と認証されなければ、その次の指紋データベースによる指紋認証動作が行われる。そして、最終段階としてステップ１０４へ進んで第Ｎ指紋データベース１８により本人と認証されればステップ１０２へ進み、本人と認証されなければステップ１０５へ進む。
【００２１】
そして、ステップ１０２において本人認証処理へ進んで、被認証者の指紋データが入力された指紋認証端末器からなる指紋認証機器のパーソナルコンピュータに本人認証が通知される。また、ステップ１０５において被認証者不一致処理へ進んで、被認証者の指紋データが入力された指紋認証端末器からなる指紋認証機器のパーソナルコンピュータに被認証者不一致が通知される。
【００２２】
このように、第一指紋認証機器１〜第Ｎ指紋認証機器１５のそれぞれに第一指紋データベース１３〜第Ｎ指紋データベース１８が設けられて、それぞれの指紋データベースに指紋データが記憶される。そして、被認証者の指紋データが入力されると指紋認証動作制御装置１４の動作によって、全ての指紋データベースに記憶された指紋データのそれぞれと被認証者の指紋データとの間で指紋認証動作が行われる。
【００２３】
これにより、全部の記憶指紋データ数を指紋認証機器それぞれの指紋データベースにおける記憶指紋データ数の指紋認証機器の台数倍とすることができる。したがって、指紋認証動作時に比較する記憶指紋データ数が増し、指紋認証動作時の本人拒否率を低下することができ、指紋認証能力の高い指紋認証装置を実現することができる。
【００２４】
実施の形態３．
図４及び図５も、この発明の他の実施の形態を示す図で、図４は機器の配置を示す全体構成図、図５は図４の指紋認証動作制御装置の動作を説明するフローチャートである。図において、前述の図１と同符号は相当部分を示し、指紋認証サーバからなる第一指紋認証機器１に指紋認証手段２、被認証者の両手の指のうちの少なくとも一本の指の指紋データが予め登録された指紋データベース１９、通信手段４及び指紋認証動作制御装置２０が設けられる。
【００２５】
また、それぞれパーソナルコンピュータを有する指紋認証端末器からなる第二指紋認証機器６及び第三指紋認証機器７が第一指紋認証機器１に接続される。そして、第二指紋認証機器６及び第三指紋認証機器７のそれぞれに、指紋データ取り込み手段８、指紋認証手段９、被認証者の両手の指のうちの少なくとも一本の指の指紋データが予め登録された指紋データベース２１、通信手段１１が設けられる。
【００２６】
上記のように構成された指紋認証装置において、指紋データベース１９、指紋データベース２１に被認証者の両手の指のうち少なくとも一本の指の指紋データが登録されて記憶される。例えば被認証者の左人差指一本のみの指紋データが記憶されたり、また例えば被認証者の右人差指、左中指、右親指及び左小指の四本の指紋データが記憶されたりする。また、指紋認証動作制御装置２０には特定被認証者に関して指紋データベース１９等に登録された記憶指紋データに対応し、指紋認証動作すべき指の本数、種別を指定した指紋認証要領が設定される。
【００２７】
そして、指紋データ取り込み手段８に被認証者の指紋データが入力されると指紋認証動作制御装置２０が動作し、指紋データが入力された被認証者に対応した指紋認証要領に基づいて指紋認証手段２等による指紋認証動作を順次指令する。この指紋認証動作制御装置２０の指令による指紋認証動作を図５に示すフローチャートによって説明する。すなわち、被認証者の指紋データが入力されるとステップ２０１において、第一指指紋データにより本人と認証されなければステップ２０２へ進み、本人と認証されればステップ２０３へ進む。
【００２８】
そして、ステップ２０３において、第二指指紋データにより本人と認証されなければステップ２０２へ進み、ステップ２０３において本人と認証されれば、図示が省略してあるが順次、次の指の指紋データによる指紋認証動作が行われ、本人と認証されなければステップ２０２へ進み、また本人と認証されれば、その次の指の指紋データによる指紋認証動作が行われる。そして、最終段階としてステップ２０４へ進んで第Ｎ指指紋データにより本人と認証されなければステップ２０２へ進み、本人と認証されればステップ２０５へ進む。
【００２９】
そして、ステップ２０２において被認証者不一致処理へ進んで、被認証者の指紋データが入力された指紋認証端末器からなる指紋認証機器のパーソナルコンピュータに被認証者不一致が通知される。また、ステップ２０５において本人認証処理へ進んで、被認証者の指紋データが入力された指紋認証端末器からなる指紋認証機器のパーソナルコンピュータに本人認証が通知される。
【００３０】
このように、指紋データベース１９等に被認証者の両手の指のうち少なくとも一本の指の指紋データが登録されて記憶される。また、指紋認証動作制御装置２０には特定被認証者に関して指紋データベース１９等の記憶指紋データに対応し、指紋認証動作すべき指の本数、種別を指定した指紋認証要領が設定される。そして、被認証者の指紋データが入力されると指紋認証動作制御装置２０の動作によって、特定被認証者の指紋認証要領に基づいて指紋認証機器の指紋認証機能による指紋認証動作が制御される。
【００３１】
これによって、特定被認証者に対して設定された指紋認証要領に指定された認証対象の指のそれぞれについて指紋認証動作を行う。そして、指紋認証要領における認証対象の指の全てが本人と認証された場合に本人認証が表示される。したがって、保安性の高い指紋認証装置を実現することができる。
【図面の簡単な説明】
【００３２】
【図１】この発明の実施の形態１を示す図で、機器の配置を示す全体構成図。
【図２】この発明の実施の形態２を示す図で、機器の配置を示す全体構成図。
【図３】図２の指紋認証動作制御装置の動作を説明するフローチャート。
【図４】この発明の実施の形態３を示す図で、機器の配置を示す全体構成図。
【図５】図４の指紋認証動作制御装置の動作を説明するフローチャート。
【符号の説明】
【００３３】
１  第一指紋認証機器（指紋認証サーバ）、２  指紋認証手段、３  指紋データベース、５  作動対象指紋認証機器選択装置、６  第二指紋認証機器（指紋認証端末器）、７
第三指紋認証機器（指紋認証端末器）、９  指紋認証手段、１０  指紋データベース、１２  異常時制御手段、１３  第一指紋データベース、１４  指紋認証動作制御装置、１５  第Ｎ指紋認証機器（指紋認証端末器）、１６  第二指紋データベース、１７  第三指紋データベース、１８  第Ｎ指紋データベース、１９  指紋データベース、２０  指紋認証動作制御装置、２１  指紋データベース。
【図１】
2006031304.tif 000003
【図２】
2006031304.tif 000004
【図３】
2006031304.tif 000005
【図４】
2006031304.tif 000006
【図５】
2006031304.tif 000007